(57)【特許請求の範囲】
【請求項１】
コンクリート系パネルを複数敷き並べた状態で鉄骨梁上に固定した取付構造であって、
短辺小口部を間隔をおいて突き合わせた二つの前記コンクリート系パネルの短辺小口部の上面に、この小口部を跨ぐように形成した円形座堀り部と、
この円形座堀り部とほぼ同形状および同厚みの円板状金物と、
この円板状金物の中心部を貫通したねじ孔と、
Ｌ字型または逆Ｔ字型のいずれかの形状からなり、下部に位置する横方向に延びる固定部を前記鉄骨梁の長さ方向と平行にして、この固定部を前記鉄骨梁上に溶接固定し、上部にボルト部を有すると共に、前記コンクリート系パネルの厚みととほぼ同一の高さとなるように、前記鉄骨梁から上方へ起立し、前記短辺小口部で挟まれた間隔内に収められた棒状金具とから構成され、
前記円板状金物のねじ孔と、前記棒状金具のボルト部とが螺合されているとともに、前記円板状金物と前記鉄骨梁との間に前記コンクリート系パネルが締付け固定されていることを特徴とするコンクリート系パネルの取付構造。
【請求項２】
前記円板状金物が、その孔または溝に固定部材が貫設されてコンクリート系パネルに止着されていることを特徴とする請求項１に記載のコンクリート系パネルの取付構造。
【請求項３】
Ｌ字型または逆Ｔ字型のいずれかの形状からなる棒状金具の下部に位置する横方向に延びる固定部を鉄骨梁の長さ方向と平行にして、この固定部を前記鉄骨梁上に溶接固定し、この棒状金具を鉄骨梁から上方に起立させる第１ステップと、
前記鉄骨梁上にＡＬＣパネルを複数敷き並べ、二つの前記ＡＬＣパネルの短辺小口部で挟まれた間隔内に前記棒状金具を収める第２ステップと、
二つの前記ＡＬＣパネルの短辺小口部の上面に、この小口部を跨ぐように、円板状金物とほぼ同形状および同じ深さの円形座堀り部を形成する第３ステップと、
前記棒状金物の上部のボルト部に前記円板状金物の中心部を貫通したネジ孔を螺合させて、前記円板状金物と前記鉄骨梁との間に前記ＡＬＣパネルを締付け固定する第４ステップと
を順次行うＡＬＣパネルの取付方法。
【発明の詳細な説明】
【０００１】
【発明の属する技術分野】
本発明は、コンクリート系パネルを複数敷き並べた状態で鉄骨梁上に固定する取付構造に関するものであり、さらに詳しくは、乾式構法により補修材の充填を不要または最小として、容易にパネルの取付を行うことができ、かつパネルを強固かつ面一な状態で鉄骨梁上に取付け可能なコンクリート系パネルの取付構造に関するものである。
【０００２】
【従来の技術】
ＡＬＣパネル（軽量気泡コンクリートパネル）、中空パネルおよびＰＣ板などのコンクリート系パネルは、建築材料、例えば建物の内外壁用パネルや屋根・床パネルとして広く使用されている。
【０００３】
そして、これらのコンクリート系パネルを建物の鉄骨梁に取付ける構法としては、例えばモルタルなどを使用して両者を接合せしめることからなる湿式構法が主流を占めていた。しかし、このような湿式構法では、モルタルなどの接合材の乾燥に長時間を要するばかりか、強固な取付構造を形成し得ないという問題があったため、近年では、湿式構法に代る乾式構法の実現が切望されている。
【０００４】
また、コンクリート系パネルを躯体に取付け固定する乾式構法としては、実開平４−３１９１１号公報に示すように、十字状に延びる４つの翼片部を有するパネル固定金物のボルト通し穴に、梁に固設されているボルトを通し、そのボルトにナットを螺合させて、パネル固定金物でパネルを挟み込み、梁にパネルを固定する構造が知られている。
【０００５】
【発明が解決しようとする課題】
しかし、この構造には次の問題点がある。
パネル取付金具はその４つの翼片部が十字状に延びているため、パネル角部に四角形の切削部を形成させる必要があり、また、その金具は薄板の段付き形状であるため、取付金具とパネルの切削部との間に大きな隙間及び空間ができてしまう。
そのため、これらのパネル上面にシートが敷設されるとその部分に不陸（窪み）が生じてしまう。この窪みの発生を防ぐために、その隙間及び空間に補修材を充填することが必要になり、さらにパネルの切削部の全空間が充填され得るとほぼ同等の多量の補修材が必要となる。
また、このパネル取付構造では、取付金具、ボルト及びナットの３部材が必要となる。そして、パネルの固定がナットの締め付けのみであるため、経年によるナットの緩みがパネルの取付強度を低下させたりガタツキを発生させたりしていた。
本発明は、上述した従来技術における問題点の解決を課題として検討した結果達成されたものである。
【０００６】
したがって、本発明の目的は、乾式構法により補修材の充填を不要または最小として、パネルの取付を行うことができ、かつパネルを強固かつ面一な状態で鉄骨梁上に取付け可能なコンクリート系パネルの取付構造を提供することにある。
【０００７】
【課題を解決するための手段】
上記の目的を達成するために、本発明のコンクリート系パネルの取付構造は、コンクリート系パネルを複数敷き並べた状態で鉄骨梁上に固定する取付構造であって、短辺小口部を間隔をおいて突き合わせた二つの前記コンクリート系パネルの短辺小口部の上面に、この小口部を跨ぐように形成した円形座堀り部と、この円形座堀り部とほぼ同形状および同厚みの円板状金物と、この円板状金物の中心部を貫通したねじ孔と、Ｌ字型または逆Ｔ字型のいずれかの形状からなり、下部に位置する横方向に延びる固定部を前記鉄骨梁の長さ方向と平行にして、この固定部を前記鉄骨梁上に溶接固定し、上部にボルト部を有すると共に、前記コンクリート系パネルの厚みととほぼ同一の高さとなるように、前記鉄骨梁から上方へ起立し、前記短辺小口部で挟まれた間隔内に収められた棒状金具とから構成され、前記円板状金物のねじ孔と、前記棒状金具のボルト部とが螺合されているとともに、前記円板状金物と前記鉄骨梁との間に前記コンクリート系パネルが締付け固定されていることを特徴とする。
【０００８】
なお、本発明のコンクリート系パネルの取付構造においては、下記の（１）〜（２）が、いずれも好ましい条件として挙げられ、これらの条件を適用した場合には、さらに優れた効果の取得を期待することができる。
【０００９】
（１）前記円板状金物は、中心に位置するねじ孔の周縁に、回転ハンドルの歯部を差し込むことができる複数の孔または溝を有していること、（２）前記円板状金物が、その孔または溝に固定部材が貫設されてコンクリート系パネルに止着されていること。
次に、上記の目的を達成するために、本発明のＡＬＣパネルの取付方法は、
Ｌ字型または逆Ｔ字型のいずれかの形状からなる棒状金具の下部に位置する横方向に延びる固定部を鉄骨梁の長さ方向と平行にして、この固定部を前記鉄骨梁上に溶接固定し、この棒状金具を鉄骨梁から上方に起立させる第１ステップと、
前記鉄骨梁上にＡＬＣパネルを複数敷き並べ、二つの前記ＡＬＣパネルの短辺小口部で挟まれた間隔内に前記棒状金具を収める第２ステップと、
二つの前記ＡＬＣパネルの短辺小口部の上面に、この小口部を跨ぐように、円板状金物とほぼ同形状および同じ深さの円形座堀り部を形成する第３ステップと、
前記棒状金物の上部のボルト部に前記円板状金物の中心部を貫通したネジ孔を螺合させて、前記円板状金物と前記鉄骨梁との間に前記ＡＬＣパネルを締付け固定する第４ステップと
を順次行うことを特徴とする。
【００１０】
【発明の実施の形態】
以下に、図面を参照しつつ、本発明のコンクリート系パネルの取付構造について詳述する。
【００１１】
図１は本発明のコンクリート系パネルの取付構造における各構成部材の一例を分解して示す斜視図、図２（ａ）〜（ｃ）は棒状金具の態様を示す斜視図、図３は本発明のコンクリート系パネルの取付構造の一例を示す断面図である。
【００１２】
なお、本発明で使用するコンクリート系パネルとしては、ＡＬＣパネル、中空パネルおよびＰＣ板などが挙げられるが、以下はその代表例であるＡＬＣパネルを使用し、これを屋根材として建物の鉄骨梁に取付けた構造について説明する。
【００１３】
まず、図１および図２にしたがって、本発明のコンクリート系パネルの取付構造において使用する各構成部材について説明する。
【００１４】
図１に示したように、本発明のコンクリート系パネルの取付構造は、ＡＬＣパネル１０，１０を複数敷き並べた状態で建物の鉄骨梁２０上に固定する取付構造であって、
ＡＬＣパネル１０，１０の短辺小口部１１，１１の上面に、この小口部１１，１１を跨ぐように形成した円形座堀り部１２と、
この円形座堀り部１２とほぼ同形状および同厚みの円板状金物３０と、
この円板状金物３０の中心部を貫通したねじ孔３１と、
下部を前記鉄骨梁２０に固定して固定部４１となし、上部にボルト部４２を有すると共に、前記コンクリート系パネル１０，１０の厚みととほぼ同一の高さとなるように、前記鉄骨梁２０から上方へ起立した棒状金具４０とから構成されている。
【００１５】
上記円形座堀り部１２は、ＡＬＣパネル１０，１０の短辺小口部１１，１１の上面を、この小口部１１，１１を跨ぐようにして、かつ使用する円板状金物３０とほぼ同形状および同じ深さとなるようにして切削形成されている。この円形座堀り部１２は、使用するＡＬＣパネル１０，１０の数や、目的とする取付け強度などを考慮しつつ、複数敷き並べたＡＬＣパネル１０，１０の短辺を突き合わせた所望の小口部に必要な数だけ設けられるが、その深さが浅くても十分な保持力を発揮するため、座堀り作業が容易であり、施工現場での形成が可能である。
【００１６】
円板状金物３０は、金属板等を打ち抜き加工することにより形成されたものであり、その中心部には、後述する棒状金具４０のボルト部４２が螺合するねじ孔３１がねじ切り加工により形成されている。
なお、円板状金物３０は、厚みが３〜１０ｍｍ、直径が５０〜１００ｍｍのステンレス板や鉄板などの金属板を用いることが、座掘り作業が容易であるとともに、十分なパネルの取付け強度が得られて好ましい。
【００１７】
さらに、上記円板状金物３０の中心に位置するねじ孔３１の周縁には、複数の孔または溝（図面では二つの孔３２，３２）が形成されている。この孔３２，３２は、図示したような治具、具体的には先端に二つの歯部５１，５１と、後端に把手５２を有する回転ハンドル５０を用いて、円板状金物３０のねじ孔３１を後述する棒状金具４０のボルト部４２に容易に螺合するために機能する。つまり、回転ハンドル５０の歯部５１，５１を円板状金物３０の孔３２，３２に差し込んで、回転ハンドル５０の把手５２を所望の方向に回転することにより、円板状金物３０のねじ孔３１を棒状金具４０のボルト部４２に容易に螺合することができる。なお、この実施例では孔３２を二つ設けた例を示したが、回転ハンドル５０の歯部５１の個数に応じて三つまたはそれ以上の孔を設けることができ、この孔３２に代えて溝を設けることも可能である。
【００１８】
また、例えば、円板状金物３０の孔３２，３２が貫通孔である場合には、棒状金具４０のボルト部４１と円板状金物３０のねじ孔３１とが螺合されているとともに、円板状金物３０の孔３２，３２に固定部材が貫設されることによりＡＬＣパネル１０，１０に円板状金物３０が止着されて、緩みがなくなりパネル１０，１０の取付け固定をより確実にすることができる。
なお、固定部材としてはくぎ６０またはねじが用いられる。なお、固定部材にＡＬＣ専用くぎ（カットネイル）を用いると、固定作業が容易であるとともに、確実に固定されて、より好ましい。
【００１９】
上記棒状金具４０は、その下部に位置する固定部４１が鉄骨梁２０の適所に溶接固定されて上方へ起立しており、上部には前記円板状金物３０のねじ孔３１に螺合するボルト部４２が形成されている。
【００２０】
この棒状金具４０の形状としては、図２に示したようなＩ字型（ａ）、Ｌ字型（ｂ）および逆Ｔ字型（ｃ）などが挙げられるが、鉄骨梁２０との溶接固定強度を増すためには、溶接長さを十分に確保できるＬ字型または逆Ｔ字型であることが好ましい。
【００２１】
次に、上記の各構成部材からなる本発明のコンクリート系パネルの取付構造について、図３にしたがって説明する。
【００２２】
すなわち、図３に示したように、本発明のコンクリート系パネルの取付構造は、円板状金物３０のねじ孔３１と、棒状金具４０のボルト部４２とが螺合されているとともに、円板状金物３０と鉄骨梁２０との間にＡＬＣパネル１０が締付け固定されていることにより構成されている。
【００２３】
そして、さらに円板状金物３０の孔３２，３２にくぎ６０が打ち込まれることにより、円板状金物３０の緩みが防止され、取付け固定がより確実なものとなる。
【００２４】
かかるコンクリート系パネルの取付構造においては、ＡＬＣパネル１０に形成した円形座堀り部１２と円板状金物３０の形状および厚み（深さ）がほぼ同一であるため、円形座堀り部１２と円板状金物３０との間に隙間をほとんど生じることがなく、その結果補修材の充填を不要または最小とした乾式構法が可能となり、コスト低減を図ることができる。
【００２５】
また、円形座堀り部１２はその深さが浅くても十分な保持力を発揮するため、座堀り作業が容易で、施工現場で形成することが可能であることから、臨機応変に対応することができる。
【００２６】
しかも、鉄骨梁２０の上面とＡＬＣパネル１０の上面とを同一面（面一）とすることができるため、ＡＬＣパネル１０の表面に段差を生じることがなく、ＡＬＣパネル１０の上面にさらに他の部材、例えば防水シートやクッション材などを敷設しても、不陸を生じることがない。
【００２７】
さらに、円板状金物３０のねじ孔３１と、棒状金具４０のボルト部４２とが螺合されていることにより、円板状金物３０と鉄骨梁２０との間にＡＬＣパネル１０が締付け固定されていると共に、円板状金物３０のねじ孔３１，３１にくぎまたはねじを締め込まれていることによりＡＬＣパネル１０，１０に円板状金物３０が止着されて、緩みがなくなり、ＡＬＣパネル１０，１０の取付け固定がより確実なものとされているため、極めて強固な取付け強度を得ることができる。
【００２８】
したがって、本発明のコンクリート系パネルの取付構造は、特に屋根パネルや床パネルなどの強固な取付け強度が要求されるコンクリート系パネルの用途にとって極めて有用である。
【００２９】
【発明の効果】
本発明のコンクリート系パネルの取付金具および取付方法によれば、以下のようなすぐれた効果が得られる。
【００３０】
（ａ）コンクリート系パネルに形成した円形座堀り部と円板状金物の形状および厚み（深さ）がほぼ同一であるため、円形座堀り部と円板状金物との間にすき間をほとんど生じることがなく、その結果補修材の充填を不要または最小とした乾式構法が可能となり、コスト低減を図ることができる。
【００３１】
（ｂ）円形座堀り部は深さが浅くても十分な保持力を発揮するため、座堀り作業が容易で、施工現場で形成することが可能であることから、臨機応変に対応することができる。
【００３２】
（ｃ）鉄骨梁の上面とコンクリート系パネルの上面とを同一面（面一）とすることができるため、円形座掘り部に補修材を充填しなくても、取付け加工後のコンクリート系パネルの表面に段差を生じることがなく、コンクリート系パネルの上面にさらに他の部材、例えば防水シートやクッション材などを敷設しても、不陸を生じることがない。
【００３３】
（ｄ）円板状金物のねじ孔と、棒状金具のボルト部とが螺合されているとともに、円板状金物と鉄骨梁との間にコンクリート系パネルを締付け固定されて、さらに円板状金物のねじ孔にくぎやねじが締め込まれていることにより、円板状金物の緩みが防止され、パネルの梁への取付け固定がより確実なものとされているため、極めて強固な取付け強度を得ることができる。
【００３４】
（ｅ）したがって、本発明のコンクリート系パネルの取付構造は、特に屋根パネルや床パネルなどの強固な取付け強度が要求されるコンクリート系パネルの用途にとって極めて有用である。
【図面の簡単な説明】
【図１】図１は本発明のコンクリート系パネルの取付構造における各構成部材の一例を分解して示す斜視図である。
【図２】図２（ａ）〜（ｃ）は棒状金具の態様を示す斜視図である。
【図３】図３は本発明のコンクリート系パネルの取付構造の一例を示す断面図である。
【符号の説明】
１０        コンクリート系パネル（ＡＬＣパネル）
１１        短辺小口部
１２        円形座堀り部
２０        鉄骨梁
３０        円板状金物
３１        ねじ孔
３２        孔または溝
４０        棒状金具
４１        下部
４２        ボルト部
５０        回転ハンドル
５１        歯部
５２        把手
６０        くぎ
【図１】
0004535639.tif 000002
【図２】
0004535639.tif 000003
【図３】
0004535639.tif 000004